(57)【要約】      （修正有）【課題】電池を電源とし小型で携帯が可能で目に安全で患部に広い範囲にレーザー光を浸透させられる美容効果及び治療効果を与える美容・治療機を提供する。【解決手段】円筒状の胴体部１には電池９を収納したホルダ４ａが固定されており、ホルダ４ａにはレーザ光を発生する光源３があり、ヘッド部２には乳白色の樹脂６が光源３が発生したレーザー光を拡散する施療子が露出した状態保持されている。ゴムバンド８によりスイッチ５を固定することにより連続してレーザー光を常時点灯させるものとする。乳白色樹脂６を使用することによりレーザー光が樹脂全体に拡散し平均的に発光するようにして目で見ても安全である。【選択図】図１
0003214899.tif 000002
【実用新案登録請求の範囲】
【請求項１】
内部に電池による光源が設けた筒状の胴体部と、前記光源がレーザー光を発生する乳白色樹脂ヘッド部を設けた美容、治療機。
【請求項２】
前記乳白色樹脂ヘッド部により前記レーザー光が適宜に拡散するようにした請求項1記載の美容・治療機。
【請求項３】
前記乳白色樹脂の形を円筒形の長さの変えたり、丸形、持ち手付などとする美容・治療機。
【請求項４】
押したときにだけ点灯するスイッチを設け、ゴムバンドによりスイッチを押さえることによって常にレーザ光を出力させることができるようした美容・治療機。
【考案の詳細な説明】
【技術分野】
【０００１】
本考案は、携帯可能でレーザー光を乳白色樹脂に拡散させることにより目に安全に治療を行う美容・治療機とする。
【背景技術】
【０００２】
図４は、実開昭６４−９６６２号公報に記載されている従来の治療機を示す模式的斜視図である。治療機はレーザ光を発生する本体と、レーザー光を照射するために幹部に当節するキャップとで構成されている。本体はレーザー光を発生する半導体レーザー装置とその発生量を調節する回路（共に図示せず）とを内蔵し、後端が閉塞された円筒状のレーザ発生器と、レーザ発生器の周面にこれと略直角になるように設けられた把手と、把手に接続してあり前記半導体レーザー装置に給電するためのコードとを備えている。レーザー発生器の先端には段差がある円錐台殻型のキャップが着脱自在に装着されている。キャップには、半導体レーザー装置が発生したレーザー光を出射するための孔が開設されており、孔の先端部分には透明なカバーが嵌合されている。またキャップの先端には図示しないタッチスイッチが配設されている。安全上、レーザー防護メガネを使用。
【０００３】
このような治療機にあっては、本体の把手をもってキャップの先端を患部に圧接し、タッチスイッチをオンにすることによってレーザー発生器にレーザー光を発生させ、該レーザー光をキャップの孔から出射して患部に照射する。
【０００４】
レーザー光を照射すると、電磁波による光電効果、光化学反応により、オピオイドの放出、交感神経の緊張の緩和、マスト細胞の脱顆粒等を促進することが可能であるという見解がある。オピオイドは痛みの刺激の伝達を抑えるように働く、鎮痛作用を有する物質である、これの放出が促進されると痛み治療効果が得られる。またマスト細胞の脱顆粒が促進されると、アレルギー等に対する免疫効果が得られることもある。
【０００５】
一方、前述した半導体レーザー装置に代えて、赤外線又は遠赤外線などの温熱線を発生する光源を本体に配置した者も普及している。このようなものは、温熱線によって患部が温められるため、温灸効果及び血行促進効果等が作用して治療効果及び美容効果がある。
【考案の概要】
【考案が解決しようとする課題】
【０００６】
従来の治療器にあっては、安全上レーザー防護メガネが必要であったが乳白色樹脂によりレーザー光を拡散させることによって防護メガネの必要が無くなり又コードがあり携帯が容易ではなく光が照射される患部の領域が一点に集中して狭いため、治療の作業効率が低く、また患部の広さに対応することができないため、場所が異なる患部へ前述したレーザー光の効果を効率よく与えることがでない、という問題があった。又レーザー光は目に障害を及ぼす危険性があるためレンズを取り除きレーザー光を集中させていない構造とし乳白色樹脂が外れた場合もレーザー光が拡散するので危険性をなくしてある。
本考案はかかる事情を鑑みてなされたものであって、その目的とするところは光源が発生した光を乳白色樹脂によってレーザー光を広範囲に拡散させ光を見ても安全なように考慮したことによって、前面だけでなく側面も発光させることにより、その広さに応じて患部に効率よく美容効果及び治療効果を与え得る美容・治療機を提出することを目的とする。
【課題を解決するための手段】
【０００７】
上記目的を達成するため、第1考案に係る美容・治療機は、内部に電池より電源を設け携帯できるようにした。光源が設けられた筒状の胴体部と、前記光源が発生した光を拡散する乳白色の樹脂を開設してあるヘッドとを備える美容・治療機において、前記ヘッド部には、前記光源が発生した光を適宜に拡散する拡散手段が配設してあることを特徴とする。
【０００８】
続いて、第2考案に係る美容・治療機は、内部電源と光源が設けられ乳白色樹脂の厚みを薄くして前面に光を集めることにより第1考案において、前記ヘッド部は乳白色で目で見ても安全であることを特徴とする。持ち手を設けて背中部分などに光を当てやすくするようにするものとする。
【０００９】
続いて、第３考案に係る美容・治療機は、内部電源と光源が設けられ乳白色樹脂の形状を色々変化させることにより有効性の範囲を変化させるものとする。
【考案の効果】
【００１０】
以上のように、レーザー光を照射すると、電磁波による光電効果、光化学反応により、オピオイドの放出、交感神経の緊張の緩和、マスト細胞の脱顆粒等を促進することが可能であるという見解がある。オピオイドは痛みの刺激の伝達を抑えるように働く、鎮痛作用を有する物質である、これの放出が促進されると痛み治療効果が得られる。またマスト細胞の脱顆粒が促進されると、アレルギー等に対する免疫効果が得られることもあり、温熱線によって患部が温められるため、温灸効果及び血行促進効果等が作用して治療効果及び美容効果がある。
これらの効果を保ちつつ、持ち運びしやすく、かつ目に安全に使用することが可能である。
【図面の簡単な説明】
【００１１】
【図１】本考案の実施例を示す模式的断面図である。
【図２】図１の完成写真である。
【図３】応用例を示す図面である。
【図４】従来の治療機を示す模式的斜視図である。
【考案を実施するための形態】
【００１２】
本考案の実施の形態に係るレーザー治療機について、図１を用いて詳細に説明する。略円筒状の胴体部1内にはホルダ４aが固定されており、前記ホルダ４aにはレーザ光を発生する光源３。前記光源３に接続してある４は前期ホルダ４aに固定してあり、レーザー駆動回路基板４にはこれに給電すべく、スイッチ５を設けた基盤４を介して単４電池９の2本が接続して電源としてある。また胴体部1の先端には、連結部７、ヘッド部６には乳白色の樹脂を固定し光源3が発生したレーザー光を拡散する前記乳白色樹脂がその全部が露出した状態保持されている。ゴムバンド８により前記スイッチ５を固定することにより常時レーザー光を点灯させ患部に照射するものとする。前記乳白色樹脂を使用することによりレーザー光が樹脂全体に拡散し平均的に発光するようにして目で見ても安全である。
【符号の説明】
【００１３】
１…胴体部  
２…ヘッド部  
３…光源  
４…レーザ駆動回路基板  
４ａ…ホルダ  
５…スイッチ
６…  乳白色樹脂
７…連結部  
８…ゴムバンド  
９…単４電池  
１０…持ち手
【図１】
0003214899.tif 000003
【図２】
0003214899.tif 000004
【図３】
0003214899.tif 000005
【図４】
0003214899.tif 000006
【手続補正書】
【提出日】平成29年12月7日(2017.12.7)
【手続補正１】
【補正対象書類名】実用新案登録請求の範囲
【補正対象項目名】全文
【補正方法】変更
【補正の内容】
【実用新案登録請求の範囲】
【請求項１】
内部に電池による電源を設けた筒状の胴体部と、光源によりレーザー光を発生させ、乳白色樹脂ヘッド部を設けた美容・治療機。
【請求項２】
前記乳白色樹脂ヘッド部により前記レーザー光が適宜に拡散するようにした請求項１記載の美容・治療機。
【請求項３】
前記乳白色樹脂ヘッド部の形を円筒形の長さを変えたり、丸形、持ち手付とする請求項１記載の美容・治療機。
【請求項４】
押したときだけ点灯するスイッチを設け、ゴムバンドによりスイッチを押さえることによって常にレーザー光を出力させることができることを特徴とする請求項１記載の美容・治療機。
【手続補正２】
【補正対象書類名】明細書
【補正対象項目名】全文
【補正方法】変更
【補正の内容】
【考案の詳細な説明】
【技術分野】
【０００１】
本考案は、携帯可能でレーザー光を乳白色樹脂に拡散させることにより目に安全に治療を行う美容・治療機とする。
【背景技術】
【０００２】
図４は、実開昭６４−９６６２号公報に記載されている従来の治療機を示す模式的斜視図である。治療機はレーザ光を発生する本体と、レーザー光を照射するために幹部に当節するキャップとで構成されている。本体はレーザー光を発生する半導体レーザー装置とその発生量を調節する回路（共に図示せず）とを内蔵し、後端が閉塞された円筒状のレーザ発生器と、レーザ発生器の周面にこれと略直角になるように設けられた把手と、把手に接続してあり前記半導体レーザー装置に給電するためのコードとを備えている。レーザー発生器の先端には段差がある円錐台殻型のキャップが着脱自在に装着されている。キャップには、半導体レーザー装置が発生したレーザー光を出射するための孔が開設されており、孔の先端部分には透明なカバーが嵌合されている。またキャップの先端には図示しないタッチスイッチが配設されている。安全上、レーザー防護メガネを使用。
【０００３】
このような治療機にあっては、本体の把手をもってキャップの先端を患部に圧接し、タッチスイッチをオンにすることによってレーザー発生器にレーザー光を発生させ、該レーザー光をキャップの孔から出射して患部に照射する。
【０００４】
レーザー光を照射すると、電磁波による光電効果、光化学反応により、オピオイドの放出、交感神経の緊張の緩和、マスト細胞の脱顆粒等を促進することが可能であるという見解がある。オピオイドは痛みの刺激の伝達を抑えるように働く、鎮痛作用を有する物質である、これの放出が促進されると痛み治療効果が得られる。またマスト細胞の脱顆粒が促進されると、アレルギー等に対する免疫効果が得られることもある。
【０００５】
一方、前述した半導体レーザー装置に代えて、赤外線又は遠赤外線などの温熱線を発生する光源を本体に配置した者も普及している。このようなものは、温熱線によって患部が温められるため、温灸効果及び血行促進効果等が作用して治療効果及び美容効果がある。
【考案の概要】
【考案が解決しようとする課題】
【０００６】
従来の治療機にあっては、安全上レーザー防護メガネが必要であったが乳白色樹脂によりレーザー光を拡散させることによって防護メガネの必要が無くなり又コードがあり携帯が容易ではなく光が照射される患部の領域が一点に集中して狭いため、治療の作業効率が低く、また患部の広さに対応することができないため、場所が異なる患部へ前述したレーザー光の効果を効率よく与えることがでない、という問題があった。又レーザー光は目に障害を及ぼす危険性があるためレンズを取り除きレーザー光を集中させていない構造とし乳白色樹脂が外れた場合もレーザー光が拡散するので危険性をなくしてある。
本考案はかかる事情を鑑みてなされたものであって、その目的とするところは光源が発生した光を乳白色樹脂によってレーザー光を広範囲に拡散させ光を見ても安全なように考慮したことによって、前面だけでなく側面も発光させることにより、その広さに応じて患部に効率よく美容効果及び治療効果を与え得る美容・治療機を提出することを目的とする。
【課題を解決するための手段】
【０００７】
上記目的を達成するため、第1考案に係る美容・治療機は、内部に電池より電源を設け携帯できるようにした。光源が設けられた筒状の胴体部と、前記光源が発生した光を拡散する乳白色の樹脂を開設してあるヘッドとを備える美容・治療機において、前記ヘッド部には、前記光源が発生した光を適宜に拡散する拡散手段が配設してあることを特徴とする。
【０００８】
続いて、第2考案に係る美容・治療機は、内部電源と光源が設けられ乳白色樹脂の厚みを薄くして前面に光を集めることにより第1考案において、前記ヘッド部は乳白色で目で見ても安全であることを特徴とする。持ち手を設けて背中部分などに光を当てやすくするようにするものとする。
【０００９】
続いて、第３考案に係る美容・治療機は、内部電源と光源が設けられ乳白色樹脂の形状を色々変化させることにより有効性の範囲を変化させるものとする。
【考案の効果】
【００１０】
以上のように、レーザー光を照射すると、電磁波による光電効果、光化学反応により、オピオイドの放出、交感神経の緊張の緩和、マスト細胞の脱顆粒等を促進することが可能であるという見解がある。オピオイドは痛みの刺激の伝達を抑えるように働く、鎮痛作用を有する物質である、これの放出が促進されると痛み治療効果が得られる。またマスト細胞の脱顆粒が促進されると、アレルギー等に対する免疫効果が得られることもあり、温熱線によって患部が温められるため、温灸効果及び血行促進効果等が作用して治療効果及び美容効果がある。
これらの効果を保ちつつ、持ち運びしやすく、かつ目に安全に使用することが可能である。
【図面の簡単な説明】
【００１１】
【図１】本考案の実施例を示す模式的断面図である。
【図２】図１の完成写真である。
【図３】応用例を示す図面である。
【図４】従来の治療機を示す模式的斜視図である。
【考案を実施するための形態】
【００１２】
本考案の実施の形態に係る美容・治療機について、図１を用いて詳細に説明する。略円筒状の胴体部1内にはホルダ４aが固定されており、前記ホルダ４aにはレーザ光を発生する光源３。前記光源３に接続してある４は前期ホルダ４aに固定してあり、レーザー駆動回路基板４にはこれに給電すべく、スイッチ５を設けた基盤４を介して単４電池９の2本が接続して電源としてある。また胴体部1の先端には、連結部７、ヘッド部６には乳白色の樹脂を固定し光源3が発生したレーザー光を拡散する前記乳白色樹脂がその全部が露出した状態保持されている。ゴムバンド８により前記スイッチ５を固定することにより常時レーザー光を点灯させ患部に照射するものとする。前記乳白色樹脂を使用することによりレーザー光が樹脂全体に拡散し平均的に発光するようにして目で見ても安全である。
【符号の説明】
【００１３】
１…胴体部  
２…ヘッド部  
３…光源  
４…レーザ駆動回路基板  
４ａ…ホルダ  
５…スイッチ
６…  乳白色樹脂
７…連結部  
８…ゴムバンド  
９…単４電池  
１０…持ち手